(57)【要約】【課題】光沢を持たせるオブジェクトの選択を容易にし、また、選択されたオブジェクトにきちんと光沢を持たせつつもクリアトナーの消費を抑える【解決手段】光沢を持たせるオブジェクトはそのままに光沢を持たせないオブジェクトを白に塗りつぶしたＰＤＬコマンドと、光沢を持たせるオブジェクトを白に塗りつぶし光沢を持たせないオブジェクトはそのままにしたＰＤＬコマンドを生成し、前者を１回目にクリアトナーを有する印刷装置で、後者を２回目に順に印刷する。【選択図】  図１
2013186378.tif 000002
【特許請求の範囲】
【請求項１】
システム１（１００）は、ネットワーク経由でＰＤＬコマンドの送受信を行う受信送信部（１０５）と、受信したＰＤＬコマンドを保持する受信ＰＤＬコマンド領域（１０２）及び編集したＰＤＬコマンドを保持するＰＤＬコマンド１領域（１０３）及びＰＤＬコマンド２領域（１０４）を持つメモリ（１０１）と、受信したＰＤＬコマンドを解析して編集を行うＰＤＬコマンド解析部（１０６）と、ユーザインターフェース（１０７）と、用紙を供給する給紙部（１０８）と、ＰＤＬコマンドから印刷画像を形成する画像形成部（１０９）と、形成した画像を印刷する印刷部（１１０）と、印刷物を排紙する排紙部（１１１）と、トナーの載り量を算出して調整するトナー載り量調整部（１２１）と、を備え、
システム２（１１２）は、ネットワーク経由でＰＤＬコマンドの送受信を行う受信送信部（１１７）と、受信したＰＤＬコマンドを保持する受信ＰＤＬコマンド領域（１１４）を持つメモリ（１１３）と、ユーザインターフェース（１１６）と、用紙を供給する給紙部（１１７）と、ＰＤＬコマンドから印刷画像を形成する画像形成部（１１８）と、形成した画像を印刷する印刷部（１１９）と、印刷物を排紙する排紙部（１２０）と、を備え、
ＰＤＬコマンド解析部（１０６）において、光沢を持たせるオブジェクトはそのままに光沢を持たせないオブジェクトは白塗りに変更したＰＤＬコマンド１と、光沢を持たせるオブジェクトは白塗りに変更し光沢を持たせないオブジェクトはそのままのＰＤＬコマンド２とに分離し、それぞれＰＤＬコマンド１はシステム１（１００）のトナー載り量調整部（１２１）で載り量が最大になっていない部分には足りない分、１００％以上足りない部分には１００％のクリアトナーを付加して画像形成部（１０９）で画像形成し印刷して、ＰＤＬコマンド２はシステム２（１１２）の画像形成部（１１８）においてＰＤＬコマンド２に沿って画像形成し印刷することを特徴とする画像形成装置。
【請求項２】
システム１とシステム２が連続通紙・連続印刷可能な形態で接続されていることを特徴とする請求項１に記載の画像形成装置。
【請求項３】
システム１が１台で用紙を複数回通紙させることによって光沢のあるオブジェクト、ないオブジェクトを選択的に印刷することを特徴とする請求項１に記載の画像形成装置。
【発明の詳細な説明】
【技術分野】
【０００１】
本発明は、C,M,Y,Kに加えて透明のトナーであるクリアトナーを持つ印刷装置において、文字、図形、イメージそれぞれに光沢を持たせるかどうかを選択可能とし、それに基づいて複数回に分けて印刷を行う印刷方法並びに印刷方法を実行するプログラムに関する。
【背景技術】
【０００２】
従来、CMYK等の有色トナーに加えて透明トナーを搭載した印刷装置を用いて、或いは、 CMYK等の有色トナーを搭載した印刷装置の後ろに透明トナーを持つ印刷装置とを接続して、透明トナーによるコーティングやパターンの貼り付け等を行う特殊印刷を行っていた。ここで光沢を持たせる部分のデータをユーザが作成する必要があるため、これを容易にするための技術が提案されている（例えば、特許文献１参照）。また、白い部分や色の薄い部分に光沢を持たせるために光沢紙を用いて、後からクリアトナーを用いることによって光沢を持たせたくない部分の光沢を抑える方法が提案されている（例えば、特許文献２参照）。
【先行技術文献】
【特許文献】
【０００３】
【特許文献１】特開2010-091813号公報
【特許文献２】特開2010-175969号公報
【発明の概要】
【発明が解決しようとする課題】
【０００４】
しかし、前記１の方法であるとユーザに光沢を持たせたいオブジェクトを１つ１つ選択させる方式をとっているため沢山の細かいオブジェクトで構成された原稿であると選択に手間がかかるという問題があった。また、前記２の方法であると、色の薄い部分や白部分に光沢を持たせるために光沢紙を用いる方法がとられているが、光沢を持たせたくない部分にクリアトナーを載せる形をとるため、光沢を持たせたくない部分が大半である場合には大量のクリアトナーを消費することになってしまう。
【課題を解決するための手段】
【０００５】
システム１（１００）は、ネットワーク経由でＰＤＬコマンドの送受信を行う受信送信部（１０５）と、受信したＰＤＬコマンドを保持する受信ＰＤＬコマンド領域（１０２）及び編集したＰＤＬコマンドを保持するＰＤＬコマンド１領域（１０３）及びＰＤＬコマンド２領域（１０４）を持つメモリ（１０１）と、受信したＰＤＬコマンドを解析して編集を行うＰＤＬコマンド解析部（１０６）と、ユーザインターフェース（１０７）と、用紙を供給する給紙部（１０８）と、ＰＤＬコマンドから印刷画像を形成する画像形成部（１０９）と、形成した画像を印刷する印刷部（１１０）と、印刷物を排紙する排紙部（１１１）と、トナーの載り量を算出して調整するトナー載り量調整部（１２１）と、を備え、
システム２（１１２）は、ネットワーク経由でＰＤＬコマンドの送受信を行う受信送信部（１１７）と、受信したＰＤＬコマンドを保持する受信ＰＤＬコマンド領域（１１４）を持つメモリ（１１３）と、ユーザインターフェース（１１６）と、用紙を供給する給紙部（１１７）と、ＰＤＬコマンドから印刷画像を形成する画像形成部（１１８）と、形成した画像を印刷する印刷部（１１９）と、印刷物を排紙する排紙部（１２０）と、を備え、
ＰＤＬコマンド解析部（１０６）において、光沢を持たせるオブジェクトはそのままに光沢を持たせないオブジェクトは白塗りに変更したＰＤＬコマンド１と、光沢を持たせるオブジェクトは白塗りに変更し光沢を持たせないオブジェクトはそのままのＰＤＬコマンド２とに分離し、それぞれＰＤＬコマンド１はシステム１（１００）のトナー載り量調整部（１２１）で載り量が最大になっていない部分には足りない分、１００％以上足りない部分には１００％のクリアトナーを付加して画像形成部（１０９）で画像形成し印刷して、ＰＤＬコマンド２はシステム２（１１２）の画像形成部（１１８）においてＰＤＬコマンド２に沿って画像形成し印刷することを特徴とする。
【発明の効果】
【０００６】
光沢を持たせる持たせないをオブジェクト種（文字、図形、イメージ）の選択のみにすることによって、光沢を持たせるオブジェクトを１つ１つ選択する手間を省くことが可能となり、また、色トナーの消費が少ない部分にのみクリアトナーを載せることによってクリアトナーの消費を少なく抑えることが可能となる。
【図面の簡単な説明】
【０００７】
【図１】本発明の一実施形態としてのシステム構成の説明
【図２】本発明の一実施形態としてのデータを受信してから印刷するまでのフローチャート
【図３】本発明の一実施形態としてのＰＤＬコマンドの構成の説明
【図４】本発明の一実施形態としての画像の状態遷移の一例
【図５】本発明の一実施形態としての出力画像の一例
【発明を実施するための形態】
【０００８】
以下、本発明を実施するための最良の形態について図面を用いて説明する。
【０００９】
［実施例１］
本発明に係る画像処理装置の一実施形態としての画像処理装置について説明する。
【００１０】
図１は、本実施形態１のシステム構成図である。
【００１１】
システム１００は、ネットワーク経由でＰＤＬコマンドの送受信を行う受信送信部１０５と、受信したＰＤＬコマンドを保持する受信ＰＤＬコマンド領域１０２、及び、編集したＰＤＬコマンドを保持するＰＤＬコマンド１領域１０３、及び、ＰＤＬコマンド２領域１０４を持つメモリ１０１と、受信したＰＤＬコマンドを解析して編集を行うＰＤＬコマンド解析部１０６と、ユーザインターフェース１０７と、用紙を供給する給紙部１０８と、ＰＤＬコマンドから印刷画像を形成する画像形成部１０９と、形成した画像を印刷する印刷部１１０と、印刷物を排紙する排紙部１１１と、トナーの載り量を算出して調整するトナー載り量調整部１２１で構成され、また、システム１１２は、ネットワーク経由でＰＤＬコマンドの送受信を行う受信送信部１１７と、受信したＰＤＬコマンドを保持する受信ＰＤＬコマンド領域１１４を持つメモリ１１３と、ユーザインターフェース１１６と、用紙を供給する給紙部１１７と、ＰＤＬコマンドから印刷画像を形成する画像形成部１１８と、形成した画像を印刷する印刷部１１９と、印刷物を排紙する排紙部１２０と、で構成されている。
【００１２】
図２は、受信／送信部１０５がＰＤＬコマンドを受信してから印刷部１１０で印刷され、排紙部１１１から排紙された用紙が給紙部１１７から給紙され、受信／送信部１１５がＰＤＬコマンドを受信して印刷部１１９で印刷されて排紙部１２０で排紙されるまでの流れを示すフローチャートであり、図３はこの処理の流れにおけるＰＤＬコマンドの形態を説明し、図４はこの処理の流れにおける画像の変化について説明するものであり、図５は排紙部１２０から出力される最終印刷物を説明するものである。
【００１３】
ステップＳ２０１において、受信部１０５でＰＤＬコマンドを受信し、メモリ１０１の受信ＰＤＬコマンド領域１０２に格納して、ステップＳ２０２へ進む。ここで受信ＰＤＬコマンド領域１０２にはＰＤＬコマンド３０１が格納されており、この段階ではデータ４０１で表わされる。
【００１４】
ステップＳ２０２において、ページの構成を示すコマンドをＰＤＬコマンド１領域１０３、ＰＤＬコマンド２領域１０４にコピーして、ステップＳ２０３へ進む。この時ＰＤＬコマンド１領域１０３、ＰＤＬコマンド２領域１０４にはそれぞれＰＤＬコマンド３０４が格納されている。
【００１５】
ステップＳ２０３において、ＰＤＬコマンド解析部１０６において受信ＰＤＬコマンド領域１０２に格納されたＰＤＬコマンド３０１のコマンド全てが解析完了したかを確認し、完了していない場合はステップＳ２０４へ進む。
【００１６】
ステップＳ２０４において、ＰＤＬコマンド３０１の中のオブジェクトを獲得し、ステップＳ２０５へ進む。
【００１７】
ステップＳ２０５において、現在のオブジェクトがテキスト属性のオブジェクトであるかを判断し、テキストオブジェクトである場合は、ステップＳ２０６へ進む。
【００１８】
ステップＳ２０６において、ＰＤＬコマンド解析部１０６においてＰＤＬコマンド３０１を解析しテキストオブジェクトの光沢指定"Gross-Text"を確認し、光沢指定である"ON"の場合はステップＳ２１１へ進む。
【００１９】
ステップＳ２１１において、ＰＤＬコマンド１領域１０３にオブジェクト部分のコマンドをコピーし、ステップＳ２１２に進む。
【００２０】
ステップＳ２１２において、オブジェクトはイメージか否かを確認し、イメージの場合はステップＳ２１４へ進む。
【００２１】
ステップＳ２１４において、イメージのサイズと同じ白塗りの矩形に置き換えて同じ位置のままＰＤＬコマンド２領域１０４に格納し、ステップＳ２０３へ進みこれを繰り返す。
【００２２】
一方、ステップＳ２１２において、オブジェクトがイメージではない場合は、ステップＳ２１３へ進む。
【００２３】
ステップＳ２１３において、ＰＤＬコマンド２領域１０４にオブジェクトの部分を全て白塗指定に変更してコピーし、ステップＳ２０３へ進みこれを繰り返す。
【００２４】
一方、ステップＳ２０６において、テキストオブジェクトの光沢指定が光沢指定でない"OFF"の場合は、ステップＳ２１５へ進む。
【００２５】
ステップＳ２１５において、ＰＤＬコマンド２領域１０４にオブジェクト部分のコマンドをコピーし、ステップＳ２１６へ進む。
【００２６】
ステップＳ２１６において、オブジェクトはイメージか否かを確認し、イメージの場合はステップＳ２１８へ進む。
【００２７】
ステップＳ２１８において、イメージのサイズと同じ白塗りの矩形に置き換えて同じ位置のままＰＤＬコマンド１領域１０３に格納し、ステップＳ２０３へ進みこれを繰り返す。
【００２８】
一方、ステップＳ２１６において、オブジェクトがイメージではない場合は、ステップＳ２１７へ進む。
【００２９】
ステップＳ２１７において、ＰＤＬコマンド１領域１０３にオブジェクトの部分を全て白塗指定に変更してコピーし、ステップＳ２０３へ進みこれを繰り返す。
【００３０】
一方、ステップＳ２０５において、現在のオブジェクトがテキスト属性のオブジェクトではない場合は、ステップＳ２０７へ進む。
【００３１】
ステップＳ２０７において、現在のオブジェクトがグラフィック属性のオブジェクトであるかを判断し、グラフィックオブジェクトである場合は、ステップＳ２０８へ進む。
【００３２】
ステップＳ２０８において、ＰＤＬコマンド解析部１０６においてＰＤＬコマンド３０１を解析しグラフィックオブジェクトの光沢指定"Gross-Graphics"を確認し、光沢指定である"ON"の場合はステップＳ２１１へ進みこれを繰り返す。
【００３３】
一方、ステップＳ２０８において、グラフィックオブジェクトの光沢指定"Gross-Graphics"が光沢指定でない"OFF"の場合は、ステップＳ２１５へ進みこれを繰り返す。
【００３４】
一方、ステップＳ２０７において、現在のオブジェクトがグラフィック属性のオブジェクトではない場合は、ステップＳ２０９へ進む。
【００３５】
ステップＳ２０９において、現在のオブジェクトがイメージ属性のオブジェクトであるかを判断し、イメージオブジェクトである場合は、ステップＳ２１０へ進む。
【００３６】
ステップＳ２１０において、ＰＤＬコマンド解析部１０６においてＰＤＬコマンド３０１を解析しイメージオブジェクトの光沢指定"Gross-Image"を確認し、光沢指定である"ON"の場合はステップＳ２１１へ進みこれを繰り返す。
【００３７】
一方、ステップＳ２１０において、グラフィックオブジェクトの光沢指定"Gross-Image"が光沢指定でない"OFF"の場合は、ステップＳ２１５へ進みこれを繰り返す。
【００３８】
一方、ステップＳ２０９において、現在のオブジェクトがイメージ属性のオブジェクトではない場合は、ステップＳ２０３へ進みこれを繰り返す。
【００３９】
一方、ステップＳ２０３において、受信ＰＤＬコマンド領域１０２に格納されたＰＤＬコマンド３０１のコマンド全てが解析完了した場合はステップＳ２１９へ進む。
【００４０】
ステップＳ２１９において、ＰＤＬコマンド解析部１０６においてＰＤＬコマンド領域１０４に格納のＰＤＬコマンドの用紙指定"PaperFeed"を"1"から"2"に変更し上書き保存し、ステップＳ２２０へ進む。この時、受信ＰＤＬコマンド領域１０２に格納されたＰＤＬコマンド３０１から、ＰＤＬコマンド１領域１０３に格納のＰＤＬコマンド３０２と、ＰＤＬコマンド２領域１０４に格納のＰＤＬコマンド３０３とが生成される。それぞれ、ＰＤＬコマンド３０２はデータ４０２、ＰＤＬコマンド３０３はデータ４０３で表わされる。
【００４１】
ステップＳ２２０において、受信／送信部１０５を通じてＰＤＬコマンド２領域１０４に格納のＰＤＬコマンド３０３をシステム１１２に送信し、ステップＳ２２１へ進む。
【００４２】
ステップＳ２２１において、画像形成部１０９でＰＤＬコマンド３０２に基づいて画像を形成し、トナー載り量調整部１２１においてトナーの載り量に合わせてクリアトナーを追加し、印刷部１１０で印刷して排紙部１１１から排紙し、ステップＳ２２２へ進む。ここで排紙部１１１からはデータ４０２が出力される。
【００４３】
ステップＳ２２２において、受信／送信部１１５で受信したＰＤＬコマンド３０３を受信ＰＤＬコマンド領域１１４に格納し、これに基づき画像形成部１１８において画像を形成し、給紙部１１７で出力物４０２を給紙してその上に印刷部１１９にて前記形成された画像を印刷し、排紙部１２０において排紙して終了する。この時、排紙部１２０からは出力結果５００が出力され、イメージ部分５０４は光沢を持ち、グラフィック部分５０２、５０３、テキスト部分５０１は光沢を持たない出力となる。
【符号の説明】
【００４４】
１００  システム
１０５  受信送信部
１１２  システム
１１７  受信送信部
【図１】
2013186378.tif 000003
【図２】
2013186378.tif 000004
【図３】
2013186378.tif 000005
【図４】
2013186378.tif 000006
【図５】
2013186378.tif 000007